(57)【特許請求の範囲】
【請求項１】
上側の横部材と複数の貫通穴が配列された下側の横部と両横部材を繋ぐ縦部からなる支持部材と、
上記下側の横部材の各貫通穴に進退自在に嵌合されると共に、端部が上記下側の横部材に係止されて抜け落ちないようになっていて、防火区画壁の施工空間に設置された状態で、隣り合う棒部材との隙間が不燃材で埋められる棒部材と
を備えることを特徴とする防火区画壁のくし型施工用治具。
【請求項２】
上方の平面と下方の凹凸をなす部分との間に形成された空間の所定の位置に、請求項１のくし型施工用治具の棒部材を略水平に保って配置する工程と、
上記くし型施工用治具を上側の横部材を上に、棒部材を下にして上記棒部材を下降して下方の凹凸をなす部分に当接させる工程と、
上記くし型施工用治具の上側の横部材を上方の平面に固定する工程と、
上記くし型施工用治具に不燃材を付着させて上記上方の平面と上記凹凸をなす部分との間を密閉する工程と
を備えることを特徴とする防火区画壁の施工方法。
【発明の詳細な説明】
【０００１】
【発明の属する技術分野】
この発明は、例えば給排水管等があり狭くてかつ複雑な形状をした天井裏空間に、防火区画壁を形成する際に用いれば好適な防火区画壁のくし型施工用治具と防火区画壁の施工方法に関する。
【０００２】
【従来の技術】
近年、建築業界において、既存の建築物のリニューアル工事が増加の一途をたどっている。このリニューアル工事では、空間の複合化や大規模な模様替等によって建物の床面積が増加する場合が多く、この場合、増加した床面積に対応して火災時の延焼防止のための防火区画壁を新たに設ける必要がある。一方、既存の建築物には、上水や下水、給湯、空気調和等の目的に用いられる複数の配管が、天井スラブの下面から約１０ｃｍ乃至２５ｃｍの間に既に設置されている場合が多い。そのため、上記防火区画壁を設置する場合、防火区画壁を床の上面と配管との間の部分と、配管と天井スラブの下面との間の部分に分割して施工する必要がある。
【０００３】
従来、上記防火区画壁の配管と天井スラブの下面との間の部分は、配管と天井スラブの下面との間の空間に、芯材を上記空間に適合する大きさに加工して挿入し、この挿入した芯材の周りに不燃材を吹き付けて形成していた。
【０００４】
【発明が解決しようとする課題】
しかしながら、上記従来の防火区画壁の配管と天井スラブの下面との間の施工方法は、配管と天井スラブとの間の約１０ｃｍ乃至２５ｃｍ程度の狭い空間に、防火区画壁の芯材が適合するように調整して加工するので、困難な作業となる。また、上記配管は種類と大きさが異なるものが多数設置されている場合が多いので、配管と天井スラブの下面とが形成する空間の形状は複雑である。さらに、上記配管の種類や本数等は、場所によって異なるので、防火区画壁を設置する位置によって、配管と天井スラブの下面との間の空間の形状が異なる。したがって、上記従来の防火区画壁の施工方法は、設置する位置によって異なる形状の空間に対応して、異なる大きさの芯材を、複雑な形状の空間に適合するように加工して設置する必要がある。この作業は、上記芯材を複雑な形状に適合するために、加工と仮設置とを繰り返す試行錯誤的な作業となるので、多大な手間を伴うとともに、施工作業の効率が非常に悪いという問題がある。
【０００５】
一方、防火区画壁は、消防法の規定により、例えば上記壁の反対側から発する光が、こちら側に漏れる程度の隙間を有することも許されていない。そのため、上記防火区画壁の配管と天井スラブの下面との間の部分で、防火区画壁を形成する作業が複雑かつ困難であることから生じた隙間のために、上記防火区画壁が施工後の検査で不合格となることがあるという問題もある。
【０００６】
そこで、この発明の目的は、容易かつ確実に防火区画壁を形成することができる防火区画壁のくし型施工用治具と、このくし型施工用治具を用いて防火区画壁を容易かつ確実に、また、効率的に施工する方法とを提供することにある。
【０００７】
【課題を解決するための手段】
上記目的を達成するため、請求項１の発明の防火区画壁のくし型施工用治具は、
上側の横部材と複数の貫通穴が配列された下側の横部と両横部材を繋ぐ縦部からなる支持部材と、
上記下側の横部材の各貫通穴に進退自在に嵌合されると共に、端部が上記下側の横部材に係止されて抜け落ちないようになっていて、防火区画壁の施工空間に設置された状態で、隣り合う棒部材との隙間が不燃材で埋められる棒部材と
を備えることを特徴としている。
複数の貫通穴が配列された横部と縦部とからなる支持部材と、
上記支持部材の各貫通穴に進退自在に嵌合されると共に、端部が上記支持部材に係止されて抜け落ちないようになっている棒部材と
を備えることを特徴としている。
【０００８】
この発明の防火区画壁のくし型施工用治具をまず水平にして、防火区画壁を形成すべき天井裏空間に配置する。このとき棒部材は支持部材の貫通穴に入っていて、かつ、抜け落ちないようになっているから、このくし型施工用治具の取り扱いが容易である。次に、上記くし型施工用治具を９０°回転させて、支持部材を上にして天井スラブに固定する一方、棒部材を下にして鉛直に配置する。そうすると、上記棒部材は鉛直下向きに向けて自重によって下降する。このくし型施工用治具の下方の凹凸をなす部分である配管の上側面と別途施工した下側防火区画壁の上端に、上記棒部材の下端が当接する。この状態では、上記棒部材は水平方向に所定の間隔をおいて配置されると共に、上記配管の上側面の形状に沿って、横部の貫通穴から棒部材が下降している。この棒部材が下降して、棒部材の上部が存在しなくなった空白の部分は、支持部材の縦部が塞いでいる。このように、棒部材が下降しても、上部が支持部材の縦部で塞がれているので、上記棒部材の上部が存在していた位置に隙間があくことがない。上記配管および下側防火区画壁と上記天井スラブとの間には、上部が支持部材の縦部で塞がれる一方、下部が棒部材からなる縦格子状のくし型施工用治具からなる芯部が形成される。この芯部に不燃材を付着させると、上記くし型施工用治具の棒部材同士の間が不燃材によって埋まり、上記配管および下側防火区画壁と、天井スラブの下面との間に、上記不燃材とくし型施工用治具とによる隙間のない防火区画壁が形成される。
【０００９】
なお、上記くし型施工用治具を天井スラブに固定するのは、棒部材が配管の上側面と下側防火区画壁の上端に当接した後でもよい。
【００１０】
請求項２の発明の防火区画壁の施工方法は、
上方の平面と下方の凹凸をなす部分との間に形成された空間の所定の位置に、請求項１のくし型施工用治具の棒部材を略水平に保って配置する工程と、
上記くし型施工用治具を上側の横部材を上に、棒部材を下にして上記棒部材を下降して下方の凹凸をなす部分に当接させる工程と、
上記くし型施工用治具の上側の横部材を上方の平面に固定する工程と、
上記くし型施工用治具に不燃材を付着させて上記上方の平面と上記凹凸をなす部分との間を密閉する工程と
を備えることを特徴としている。
【００１１】
この発明の防火区画壁の施工方法によれば、狭い複雑な形状の空間であっても、上記くし型施工用治具の棒部材がその空間の形状に合わせて突出する。また、棒部材は、水平にすると支持部材から抜動することがなく、しかも、鉛直にしても、支持部材から抜け落ちることがない。したがって、この防火区画壁の施工方法によれば、狭い複雑な形状の空間ででも、確実かつ簡単に防火区画壁を施工できる。
【００１２】
【発明の実施の形態】
以下、この発明を図示の実施の形態により詳細に説明する。
【００１３】
図１はこの発明による防火区画壁のくし型施工用治具の斜視図である。このくし型施工用治具１は、略チャネル形状の支持部材２と複数の棒部材３とを備える。上記支持部材２は、上下両側の横部６，４と縦部８とからなる。上記下側の横部４には、長手方向に等間隔に複数の貫通穴２１，２１，・・・を設けると共に、この貫通穴２１，２１，・・・の周りに位置するガイド管５，５，・・・を横部４に固定している。上記ガイド管５，５，・・・には、棒部材３，３，・・・を摺動自在に嵌合している。上記棒部材３の上端には、拡大部９を設けて、この拡大部９とガイド管５との係止により、棒部材３が支持部材２の貫通穴２１から下方に抜け落ちないようになっている。また、上記棒部材３が上方に過度に移動した場合には、上端の拡大部９が上側の横部６に当って、棒部材３が支持部材２から上方にも抜け出ないようになっている。上記支持部材２の上側の横部６は、支持部材２の長手方向両側に延長して、この両側の延長部２３，２３には、支持部材２を固定するのに用いる長穴７，７を夫々設けている。
【００１４】
図２（ａ），（ｂ）は、既存の建物の内部において、新たに防火区画壁を設置する位置を図示したものである。図２（ａ）は、天井スラブ１０の下方に設置されている配管１１，１１，・・・を横断する方向の断面図である。図２（ｂ）は、防火区画壁を設置する位置における、上記配管１１，１１，・・・に平行な方向の断面図である。図２に示すように、不燃材である石膏ボードによる下側防火区画壁１２を、天井２０を突き抜けて、上記配管１１，１１，・・・の直下に達する高さにまで設置する。この下側部分１２の施工は、広い空間で行われるので、比較的容易である。くし型施工用治具１は、図２（ｂ）における配管１１の上側面および下側防火区画壁１２の上端と、天井スラブ１０の下面との間に、図２（ａ）における配管１１，１１，・・・が設置されている幅にわたって、防火区画壁の上側部分を形成するために用いる。
【００１５】
図３を参照しながら、このくし型施工用治具１を用いて防火区画壁を施工する方法を説明する。まず、図３（ａ）に示すように、上記くし型施工用治具１を水平にして、かつ、棒部材３を支持部２に引っ込めた状態で配管１１と天井スラブ１０の下面との間に挿入して、別途設置した下側防火区画壁１２の上方に配置する。このとき、上記くし型施工用治具１は、水平に配置しているから上記棒部材３が支持部材２から抜け出なくて、くし型施工用治具１はコンパクトである。したがって、配管１１と天井スラブ１０との間が狭くても、上記くし型施工用治具１を容易に配置することができる。
【００１６】
次に、図３（ｂ）に示すように、上記くし型施工用治具１を水平に保っていた図３（ａ）の状態から、矢印１５で示すように長手方向周りに略９０°回転させて、上記くし型施工用治具１の支持部材２を上側に、棒部材３を下側に向ける。その後、上記支持部材２に設けた長穴７にボルト等を挿入して、上記天井スラブ１０の下面に支持部材２を固定する。このとき、図３（ｃ）に示すように、くし型施工用治具１の棒部材３は自重で下降して、上記棒部材３の直下に配管１１がある場合は、棒部材３は配管１１の上側面に当接する。また、上記棒部材３の直下が配管１１と配管１１との間である場合、棒部材３はこの配管１１と配管１１との間を下降して配管１１，１１，・・・の下方に既に設置された下側防火区画壁１２の上端部に当接する。このとき、棒部材３の上部が存在しなくなった部分は支持部材２の縦部８が塞いでいる。したがって、上記棒部材３が下降しても、棒部材３が存在していた位置に隙間は生じない。このようにして、上記配管１１の上側面および下側防火区画壁１２の上端と、天井スラブ１０の下面との間において、上部をくし型施工用治具１の支持部材２の縦部８で塞いで、下部に複数の棒部材３による縦格子状の芯部を配置する。
【００１７】
最後に、図３（ｄ）に示すように、上記くし型施工用治具１に不燃材１３を吹き付ける。そうすると、上記棒部材３による縦格子状の棒部材３，３，・・・の間の隙間が不燃材１３で埋まり、配管１１および下側防火区画壁１２の上端と、天井スラブ１０の下面との間の隙間がなくなる。上記不燃材１３を、くし型施工用治具１の図における左右両側から吹き付けて、確実に上記隙間を埋める。こうして、配管１１および下側防火区画壁１２の上端と、天井スラブ１０の下面との間に、不燃材１３による防火区画壁を隙間無く、容易に形成することができる。
【００１８】
この実施の形態のくし型施工用治具１によれば、防火区画壁を設置する位置の配管径の種類が多い場合であっても、上記複数の棒部材３が配管の上側面および下側防火区画壁の上端面の形状に合わせて出没して、縦格子状芯部を形成することができるので、複雑な形状空間に対応した芯部を形成して防火区画壁を施工することができる。
【００１９】
上記実施の形態では、ガイド管５，５，・・・を有するので、棒部材３，３，・・・の傾きを防止して、スムーズに垂下させることができる。もっとも、このガイド管を設けなくても、支持部材の横部の厚さが厚い場合、あるいは、支持部材の姿勢を適切にすれば、棒部材はスムーズに垂下する。
【００２１】
上記実施の形態において、くし型施工用治具１の支持部材２の下側の横部４は長方形であったが、貫通穴の周囲を囲むつばが、支持部材の縦部の下端から横方向に突出する形状でもよい。
【００２２】
上記実施の形態において、くし型施工用治具１の支持部材２の固定用の長穴７を、上記支持部材２の上側の横部６を長手方向両側の延長部に設けたが、これらは設けなくてもよい。
【００２３】
上記実施の形態において、防火区画壁を、配管１１と天井スラブ１０の下面との間の空間に設置したが、防火区画壁は配管と天井スラブとで形成される場合に限らない。例えば床スラブの下面と梁との間等の、上方の平面と、この平面の下側に障害物が近接して配置されてなる凹凸部との間の空間に防火区画壁を形成する場合に、この発明は有効に適用できる。
【００２４】
上記実施の形態において、くし型施工用治具１は、不燃材による防火区画壁の芯材として使用したが、上記不燃材の型枠として使用してもよい。すなわち、上記くし型施工用治具１の一方の側にのみ不燃材１３を付着させて防火区画壁を形成した後、上記くし型施工用治具１を不燃材１３から剥離して、別の防火区画壁を形成するために再度使用してもよい。
【００２５】
【発明の効果】
以上より明らかなように、請求項１の発明の防火区画壁のくし型施工用治具は、支持部材の貫通穴から棒部材が進退自在に垂下し、かつ、棒部材が支持部材から抜け落ちないようになっているので、水平方向にすれば取り扱いが容易で、垂直方向に配置して、複雑な空間形状に応じて棒部材による格子状の芯材、あるいは型枠を形成でき、したがって、狭い複雑な形状の空間にでも簡単、かつ、確実、かつ、効率的に防火区画壁を施工できる。
【００２６】
請求項２の発明の防火区画壁の施工方法は、請求項１のくし型施工用治具を用いるので、狭い複雑な形状の空間にでも簡単、かつ、確実、かつ、効率的に防火区画壁を施工できる。
【図面の簡単な説明】
【図１】  この発明の実施の形態の防火区画壁のくし型施工用治具を示した斜視図である。
【図２】  既存の建物に新たに防火区画壁を設置する位置を示した図である。
【図３】  この発明の実施の形態の防火区画壁のくし型施工用治具を用いた防火区画壁の施工方法である。
【符号の説明】
１  くし型施工用治具
２  支持部材
３  棒部材
４  支持部材の下側の横部
５  ガイド管
６  支持部材の上側の横部
７  長穴
８  支持部材の縦部
９  棒部材の拡大部
２１  貫通穴
２３  延長部
【図１】
0004130044.tif 000002
【図２】
0004130044.tif 000003
【図３】
0004130044.tif 000004